(57)【要約】【課題】  十分な電線保持力を確保して電線の抜けを確実に防止するとともに、圧接刃の変形、圧接不良を防止できる圧接コネクタを提供する。【解決手段】  第２部材(30)の一方の端辺(30ａ)に沿って全長にわたり電線押さえ軸(31)を設けるとともに、この電線押さえ軸(31)を回転自在に支承する軸支承部(25)を所定間隔で第１部材(20)に設けたので、第２部材(30)は全長にわたって確実に第１部材(20)に支承される。また、軸支承部(25)は電線押さえ軸(31)を保持する先端部(25ａ)から外側に向かって広がっているので、第２部材(30)と電線(11)との間に働く押圧力による摩擦力が電線(11)を抜けさせる場合には、電線押さえ軸(31)は押圧力が小さくなる方向へ退避する。従って、蓋部(30)の中間位置においても十分な圧接力を確保することができるとともに、電線(11)の抜けを防止することができる。【選択図】  図１
2005079022.tif 000002
【特許請求の範囲】
【請求項１】
複数の端子を収容する第１部材と、
前記各端子に接続されて前記第１部材の表面から突出する複数の圧接刃と、
前記各圧接刃を覆うように前記第１部材に取付けられる第２部材とを有する圧接コネクタであって、
前記第２部材の一方の端辺側に沿って全長にわたり前記電線を押える電線押さえ軸を設け、
前記第１部材が、前記第２部材を取付けた際に前記電線押さえ軸に対応する位置に前記電線押さえ軸を着脱自在かつ回転自在に支承する軸支承部を設けたことを特徴とする圧接コネクタ。
【請求項２】
前記軸支承部が、前記電線押さえ軸を収容する先端部から電線押さえ方向と逆方向に向かって広がるテーパ部を有する切欠きであることを特徴とする請求項１に記載した圧接コネクタ。
【請求項３】
前記第２部材の他方の端辺側に設けられた第１係止部と係合する前記第１部材側の第２係止部の入り口にテーパ面を設けたことを特徴とする請求項１に記載した圧接コネクタ。
【請求項４】
前記電線押さえ軸を前記軸支承部により係止して前記第２部材を回動させて前記第１部材に取付ける際に、前記第１係止部が前記第２係止部に接触した状態で前記第２部材の回動に伴って、前記電線押さえ軸が前記電線押さえ方向と逆方向に逃げることを特徴とする請求項３に記載した圧接コネクタ。
【請求項５】
前記軸支承部が、隣接する前記圧接刃の間に設けられていることを特徴とする請求項１に記載した圧接コネクタ。
【発明の詳細な説明】
【技術分野】
【０００１】
本発明は圧接コネクタに係り、圧接刃を電線に刺し込むことにより、電線と端子とを電気的に接続する圧接コネクタに関する。
【背景技術】
【０００２】
従来より、コネクタハウジングに対して蓋部を回動自在に設け、蓋部を閉じることにより電線を押圧保持する圧接コネクタが知られている（例えば特許文献１参照）。
図１１に示すように、この圧接コネクタ100は、ハウジング本体101と、このハウジング本体101を収納するハウジング本体カバー102と、このハウジング本体カバー102に着脱自在且つ回動自在に装着されハウジング本体101の上部を覆う蓋部103とを備えている。ハウジング本体101は、圧接端子104を装着するための複数個の取付孔が設けられたコネクタハウジング105と、このコネクタハウジング105の後端に凸状に形成された電線保持部106を設けた電線支持部107から構成される。また、蓋部103の裏面側には、電線支持部107上に電線108を押圧する凸状の電線押圧部109が一体的に設けられている。
【０００３】
従って、電線108は、電線保持部106の上部に開口した電線挿入口110を通って、電線支持部107より所定の圧接端子104に圧入される。そして、電線108を圧接したハウジング本体101をハウジング本体カバー102に収納し、ハウジング本体カバー102に着脱可能に装着された蓋部103を回動させて閉じる。これにより、蓋部103に設けた電線押圧部109の先端部によって電線108は電線支持部107の上に押圧固定されることになる。従って、電線108は、電線保持部106の先端部と電線押圧部109の先端部との協働によりクランク状に折り曲げられるので、確実に保持されることになる。
【０００４】
【特許文献１】特開平７−６８０１号公報（図１）
【発明の開示】
【発明が解決しようとする課題】
【０００５】
ところで、前述した圧接コネクタ100においては、蓋部103は両端部においてハウジング本体カバー102に設けられているピン状部材111によって回動自在に支承されているので、中間部では蓋部103が浮き上がって、十分に電線108を保持することができない場合がある。また、蓋部103を回動させた際に、蓋部103の後端面103ａが電線108を押圧し、その摩擦力により電線108を引っ張って抜けさせるという不都合があった。また、治具により圧接するため、圧接刃の変形や圧接不良を引き起こす場合があった。
【０００６】
本発明は、前述した問題点に鑑みてなされたものであり、その目的は、十分な電線保持力を確保するとともに、電線の抜けを防止して電線を確実に保持するとともに、圧接刃の変形、圧接不良を防止できる圧接コネクタを提供することにある。
【課題を解決するための手段】
【０００７】
１）本発明の圧接コネクタは、複数の端子を収容する第１部材と、前記各端子に接続されて前記第１部材の表面から突出する複数の圧接刃と、前記各圧接刃を覆うように前記第１部材に取付けられる第２部材とを有する圧接コネクタであって、前記第２部材の一方の端辺側に沿って全長にわたり前記電線を押える電線押さえ軸を設け、他方の端辺側に第１係止部を設け、前記第１部材が、前記第２部材を取付けた際に前記電線押さえ軸に対応する位置に前記電線押さえ軸を着脱自在かつ回転自在に支承する軸支承部を設けたことを特徴とする。
【０００８】
前記構成の圧接コネクタによれば、第２部材の一方の端辺側に沿って全長にわたり電線押さえ軸を設けるとともに、この電線押さえ軸を回転自在に支承する軸支承部を第１部材に設けたので、第２部材は全長にわたって確実に第１部材に支承される。従って、電線を確実に押さえることができ、蓋部の中間位置においても十分な電線保持力を確保することができる。
【０００９】
２）本発明の圧接コネクタは、前記１）記載の圧接コネクタであって、前記軸支承部が、前記電線押さえ軸を収容する先端部から電線押さえ方向と逆方向に向かって広がるテーパ部を有する切欠きであることを特徴とする。
【００１０】
前記構成の圧接コネクタによれば、軸支承部は電線押さえ軸を保持する先端部から電線押さえ方向と逆方向に向かって広がるテーパ部を有しているので、第２部材と電線との間に働く押圧力による摩擦力が電線を抜けさせる場合には、電線押さえ軸は押圧力が小さくなる方向へ退避する。従って、電線押さえ軸が電線押さえ方向と逆方向に逃げることで、電線への過度の押圧を回避して、電線の抜けを確実に防止することができる。
【００１１】
３）本発明の圧接コネクタは、前記１）記載の圧接コネクタであって、前記第２部材の他方の端辺側に設けられた第１係止部と係合する前記第１部材側の第２係止部の入り口にテーパ面を設けたことを特徴とする。
【００１２】
前記構成の圧接コネクタによれば、第１係止部と第２係止部とを係合する際に、入り口にテーパ面が設けられているので、容易に係合することができる。
【００１３】
４）本発明の圧接コネクタは、前記３）記載の圧接コネクタであって、前記電線押さえ軸を前記軸支承部により係止して前記第２部材を回動させて前記第１部材に取付ける際に、前記第１係止部が前記第２係止部に接触した状態で前記第２部材の回動に伴って、前記電線押さえ軸が前記電線押さえ方向と逆方向に逃げることを特徴とする。
【００１４】
前記構成の圧接コネクタによれば、第２部材を電線押さえ軸周りに回転させて第１部材に係合する際に、第１係止部が第２係止部に接触した状態で第２部材の回動に伴って、電線押さえ軸が電線押さえ方向と逆方向に逃げるので、電線押さえ軸の回動に伴い電線を引っ張って抜けさせる引張力を発生させることなく、電線を確実に保持することができる。
【００１５】
５）本発明の圧接コネクタは、前記１）記載の圧接コネクタであって、前記軸支承部が隣接する前記圧接刃の間に設けられていることを特徴とする。
【００１６】
前記構成の圧接コネクタによれば、各圧接刃の近傍において第２部材は第１部材に支持されるので、中間部においても十分な圧接力を確保して、確実に圧接することができる。
【発明の効果】
【００１７】
本発明の圧接コネクタによれば、十分な電線保持力を確保して電線の抜けを防止することができる。また、圧接刃の変形、圧接不良を確実に防止することができる。
【発明を実施するための最良の形態】
【００１８】
以下、本発明に係る実施形態を図面に基づいて詳細に説明する。図１は本発明に係る圧接コネクタの実施形態を示す斜視図、図２は図１中II方向から見た端面図、図３はハウジングの全体を示す斜視図、図４はハウジングの平面図、図５は圧接端子の斜視図、図６は図４中VI−VI位置の断面図、図７は蓋部の斜視図、図８は図７中VIII方向から見た底面図である。
【００１９】
図１および図２に示すように、本発明に係る圧接コネクタ10は、第１部材であるコネクタハウジング20と第２部材である蓋部30を有している。ここでは、１個のコネクタハウジング20と１個の蓋部30から圧接コネクタ10を構成している場合を示しているが、２個のコネクタハウジング20，20を上下に組み合わせて、各コネクタハウジング20，20に各々蓋部30を取り付けるようにすることもできる。
【００２０】
図３および図４に示すように、コネクタハウジング20には、多数の圧接端子40がハウジング20の表面20ａから突出するように（図６参照）収容されており、前面には他の電気部品等を端子41に接続するための端子口20ｂが設けられている。また、コネクタハウジング20の内部には、各圧接端子40およびこれに圧接される電線11を保持する収容溝部21が隔壁22により仕切られて平行に整列して設けられている。
なお、図５に示すように、圧接端子40は例えばメス型端子であり、一端には他の電気部品等に接続するための接続部41を有するとともに、他端には電線11を切欠き部42ａに押込んで圧接するための圧接刃42を有している。ここでは、２個の圧接刃42，42を有する場合が示されているが、１個の場合もある。また、端子41はメス側であるが、オス側の端子を有するものでも良い。
【００２１】
コネクタハウジング20の左右両側面20Ｌ，20Ｒには、一対のコネクタハウジング20を上下に重ねて２段で使用する際に用いられる接合部23ａ，23ｂが前後に設けられている。また、左右両側壁20Ｌ，20Ｒの前後方向中央部の空間26には、蓋部30を取付ける際に用いられる第２係止部としての係止突起24が設けられている。この係止突起24は、ポスト24ａと、頭部24ｂとを有している。
図６に示すように、隔壁22の後端部（図６において右端部）には、軸支承部25（図２参照）が設けられている。この軸支承部25は、後述する電線押さえ軸31を収容する先端部25ａから外側（図６において右側）に向かって上方に広がるテーパ部25ｂを有する切欠きである。
【００２２】
一方、図７に示すように、蓋部30は、矩形薄板状をしており、所定の治具を使用して電線11を圧接刃42に押し付けて圧接した後、コネクタハウジング20上の圧接部分を覆うように被せられる。蓋部30の内面30ｃにおける一方の端辺30ａ側には、コネクタハウジング20の収容溝21に対応して複数個のブラケット32が突設されており、このブラケット32の先端には蓋部30の略全長にわたって電線押さえ軸31が設けられている。また、蓋部30の内面30ｃ中央部で、コネクタハウジング20に取付けられている一対の圧接刃42の間に対応する位置には、各収容溝21に対応したブラケット32と同じピッチで、圧接刃42に圧接された電線11を上方から押圧する押圧突起33が突設されている。
従って、蓋部30をコネクタハウジング20に取付けると、押圧突起33が電線11を圧接刃42に押し付けるので、電線11と圧接刃42との圧接状態を確実に保持することができる。
【００２３】
蓋部30の左右両側面30Ｌ，30Ｒにおける他方の端辺30ｂ側には、第１係止部としての係止アーム34が設けられている。図２に示すように、係止アーム34の先端には係止爪部35が設けられており、コネクタハウジング20の左右両側面20Ｌ，20Ｒに設けられている係止突起24のポスト24ａを係止するようになっている（図３参照）。係止爪部35の入り口にはテーパ面36が設けられており、係止爪部35により係止突起24を係止する際に、スムーズに係止できるようにしている。
【００２４】
次に、蓋部30をコネクタハウジング20に取付けて電線11の圧接状態を保持する動作について説明する。先ず、ハウジング20の表面20ａを上向きにして収容溝21を上にして、電線11の先端を各圧接刃42の切欠き部42ａに載せ、所定の治具を使って全ての電線11を切欠き部42ａに圧入することで電線11と圧接端子40が圧接接続されるとともに、電線11は収容溝21内に収容される。次に、図２に示すように、蓋部30の電線押さえ軸31を隔壁22の軸支承部25に嵌めて、電線押さえ軸31を中心として係止爪部35の外周面が係止突起24の外周面に接触するようにして蓋部30を回動させる。そして、蓋部30に設けられている押圧突起33（図８参照）により、圧接刃42に圧接された電線11上部を保持し、係止爪部35によりコネクタハウジング20の係止突起24を係止する。
【００２５】
以上、前述した圧接コネクタ10によれば、電線押さえ軸31が蓋部30の略全幅にわたって設けられており、蓋部30を回動させてコネクタハウジング20に取付ける際には、各圧接端子40の間に設けられている隔壁22の軸支承部25に支承されるので、蓋部30の中央部分においても確実に支承される。軸支承部25は、電線押さえ軸31を保持する先端部25ａから外側に向かって上方に広がるテーパ部25ｂを有する。従って、押圧突起33が電線11を押圧する際に、過度な押圧力が作用する場合には電線押さえ軸31を先端部25ａから後方へ退避させることができる。すなわち、電線押さえ軸31が電線押さえ方向と逆方向に移動して、電線11との過度な接触圧を低減させることができる。このため、電線押さえ軸31と電線11との間の摩擦力を低減することができ、電線押さえ軸31と電線11との間の摩擦力による電線11の抜けを防止することができる。
【００２６】
また、図２に示すように、係止爪部35にテーパ面36を設けてあるので、蓋部30に設けられている係止爪部35をコネクタハウジング20の係止突起24に係止する際に、スムーズに係止することができる。また、蓋部30を、電線押さえ軸31を中心に回動させてコネクタハウジング20に取付ける際に、係止爪部35の外側が係止突起24に接触しながら回動することで、上述したように電線11に対する電線押さえ軸31の接触圧を低減させる方向、すなわち軸支承部25内の電線押さえ方向と逆方向に電線押さえ軸31が退避する。そして、蓋部30の係止穴３７内に係止突起２４が係合されることで、電線押さえ軸31は電線11を押さえる方向、すなわちに軸支承部25の先端部25ａに再び戻る。
【００２７】
なお、本発明の圧接コネクタは、前述した実施形態に限定されるものでなく、適宜な変形，改良等が可能である。例えば、前述した実施形態において、蓋部30に設ける第１係止部として係止爪部35を有するカギ型状のものを例示したが、矩形状の係止部を例示することもできる。
【００２８】
図９および図１０に示すように、蓋部50は、一方の端辺50ａ側には全長にわたってブラケット52下端に電線押さえ軸51が設けられている。また、蓋部50の内面50cの中央部には、電線を上方から押圧する押圧突起53が突設されている。また、蓋部50の他方の端辺50ｂ側には、矩形状の係止部57が設けられており、係止突起24が入る矩形状の係止穴57と、テーパ面56が設けられている。この場合にも、前述した実施形態と同様の作用効果を得ることができるとともに、加えて、係止突起24が係止穴57ａの内部に係止されて、外側に突出しないので、外観を改善することができる。
【００２９】
その他、前述した実施形態において例示した第１部材、第２部材、第１係止部第２係止部等の形状，寸法，形態，数，配置個所等は本発明を達成できるものであれば任意であり、限定されない。
【図面の簡単な説明】
【００３０】
【図１】本発明に係る圧接コネクタの第１実施形態を示す斜視図である。
【図２】図１中II方向から見た端面図である。
【図３】ハウジングの全体を示す斜視図である。
【図４】ハウジングの平面図である。
【図５】圧接端子の斜視図である。
【図６】図４中VI−VI位置の断面図である。
【図７】蓋部の斜視図である。
【図８】図７中VIII方向から見た底面図である。
【図９】（Ａ）は第１係止部の別の例を示す蓋部の斜視図、（Ｂ）は（Ａ）を底面側から見た斜視図である。
【図１０】（Ａ）は第１係止部の別の例を示す外側端面図、（Ｂ）は（Ａ）を内側から見た側面図である。
【図１１】従来の圧接コネクタを示す断面図である。
【符号の説明】
【００３１】
10  圧接コネクタ
11  電線
20  コネクタハウジング（第１部材）
20ａ  表面
24  係止突起（第２係止部）
25  軸支承部
25ａ  先端部
30  蓋部（第２部材）
30ａ  一方の端辺
30ｂ  他方の端辺
31  電線押さえ軸
33  押圧突起
35  係止爪部（第１係止部）
36  テーパ面
41  接続部
42  圧接刃
【図１】
2005079022.tif 000003
【図２】
2005079022.tif 000004
【図３】
2005079022.tif 000005
【図４】
2005079022.tif 000006
【図５】
2005079022.tif 000007
【図６】
2005079022.tif 000008
【図７】
2005079022.tif 000009
【図８】
2005079022.tif 000010
【図９】
2005079022.tif 000011
【図１０】
2005079022.tif 000012
【図１１】
2005079022.tif 000013